(57)【要約】  【課題】  両面ユニット内でのジャム処理操作を容易に行えるとともに、二次的な障害の発生も防止でき、さらに環境負荷も少ない画像形成装置の両面ユニット及びそれを備えた画像形成装置を提供する。  【解決手段】  両面ユニット１８の下部に設けられたガイド板２４は引っ張りバネ２６により両面ユニット１８本体方向に付勢されており、両面ユニット１８内でジャムが発生した場合、ユーザは引っ張りバネ２６の付勢力に抗してガイド板２４を手で開放状態に保持しながら両面ユニット１８内のジャム処理を行う。そしてジャム処理が終了すると、開放状態に保持していた手を離すことにより、ガイド板２４は自動的に閉状態に戻る。ガイド板２４の上流側端部２４ａには、両面ユニット１８本体側に設けられた係止用突起（図示せず）に係合するロック部材２７が付設されている。【選択図】      図１
2005315920.tif 000002
【特許請求の範囲】
【請求項１】
片面に画像が形成された用紙を反転させる反転手段と、該反転手段により反転された用紙を画像形成部に再搬送する再搬送手段と、該再搬送手段の下方に位置し一端を回動軸として開閉可能なガイド板と、を備え、画像形成装置本体から引き出し前記ガイド板を開放してジャム処理を行う画像形成装置の両面ユニットにおいて、
前記ガイド板は、前記ガイド板と両面ユニット本体との間に連結された第１の弾性部材により閉方向に付勢されており、前記ガイド板の回動側端部には、両面ユニット本体側に設けられた係止用突起に係合するフック部を１つ以上備えたロック部材が付設されていることを特徴とする画像形成装置の両面ユニット。
【請求項２】
前記ロック部材は、前記ガイド板に対して前記フック部の開口方向と平行に摺動可能に支持されており、前記ロック部材を前記フック部の開口方向に付勢する第２の弾性部材が付設されていることを特徴とする請求項１に記載の画像形成装置の両面ユニット。
【請求項３】
前記フック部は、前記ガイド板の閉方向への回動により前記係止用突起に当接する部分が前記フック部の開口方向に下向きに傾斜していることを特徴とする請求項２に記載の画像形成装置の両面ユニット。
【請求項４】
請求項３に記載の両面ユニットが搭載された画像形成装置であって、
前記ガイド板の回動側下面又は前記ロック部材の下面に対向する両面ユニットの収納部分に、装置の手前側から奥側に向けて上り勾配を有する凸部が設けられており、両面ユニットの画像形成装置本体への挿入に伴い、前記ガイド板又は前記ロック部材が前記凸部に乗り上げて前記フック部が前記係止用突起に係合する位置に押し上げられることを特徴とする画像形成装置。
【発明の詳細な説明】
【技術分野】
【０００１】
本発明は、両面印刷が可能な複写機、プリンタ等の画像形成装置において、片面に画像形成された用紙の他面に再度画像を形成するために、その用紙を一時収納して再搬送する画像形成装置の両面ユニット及びそれを備えた画像形成装置に関する。
【背景技術】
【０００２】
従来、複写機、プリンタ等の電子写真方式を用いた画像形成装置においては、用紙の片面に画像を形成した後、その用紙を排出せずに再度画像形成部に搬送し、他方の面にも画像を形成する両面印刷方式のものが広く用いられている。このような両面印刷方式の画像形成装置においては、特許文献１のように、片面に画像が形成された用紙を反転させる反転手段と、反転した用紙を画像形成部へ再搬送する際搬送手段を備えた両面ユニットを搭載している。両面ユニットが搭載された画像形成装置の概略構成を図７に示す。
【０００３】
図７において、１は画像形成装置であり、ここでは一例としてデジタル複合機を示している。画像形成装置１では、コピー動作を行う場合、複合機本体内の画像形成部２において、帯電ユニット３により図中のＡ方向に回転する感光体ドラム４が一様に帯電され、画像読取部５で読み取られた原稿画像データに基づく露光ユニット（レーザ走査ユニット等）８からのレーザビームにより感光体ドラム４上に静電潜像が形成され、現像ユニット７により静電潜像に現像剤（以下、トナーという）が付着されてトナー像が形成される。この現像ユニット７へのトナーの供給はトナーコンテナ６から行われる。
【０００４】
上記のようにトナー像が形成された感光体ドラム４に向けて、用紙が給紙機構９から給紙ローラ１０、用紙搬送路１１及びレジストローラ対１２を経由して画像形成部２に搬送され、この画像形成部２において転写ローラ１３（画像転写部）により感光体ドラム４の表面に形成されたトナー像が用紙に転写される。そして、トナー像が転写された用紙は感光体ドラム４から分離され、定着ローラ対１４ａを有する定着部１４に搬送されてトナー像が定着される。定着部１４を通過した用紙は、複数方向に分岐した分岐部１５によって搬送方向が振り分けられる。用紙の片面のみに画像を形成する場合は、そのまま用紙排出部１６に排出される。
【０００５】
一方、用紙の両面に画像を形成する場合は、定着部１４を通過した用紙は分岐部１５で用紙搬送路１７に振り分けられ、両面ユニット１８内のフィードローラ１９により反転された後、画像の形成されていない面を上に向けて画像形成部２へ再搬送される。再搬送された用紙は、画像形成部２において次の画像が形成され、定着部１４に搬送されてトナー像が定着された後、用紙排出部１６より装置外部に排出される。
【０００６】
また、図示しないが、感光体ドラム４の表面の残留電荷を除去する除電装置がクリーニング装置２１の下流側に設けられている。さらに、給紙機構９は、画像形成装置１に着脱自在に取り付けられ、用紙を収納する複数の給紙カセット９ａ、９ｂ、９ｃと、その上方に設けられるスタックバイパス（手差しトレイ）９ｄとを備えてなり、これらは用紙搬送路１１を介して感光体ドラム４及び現像ユニット７等からなる画像形成部２に繋がっている。
【０００７】
図８は、図７における両面ユニット１８付近の拡大図である。図８を用いて両面ユニットの動作について更に詳細に説明する。ユーザにより両面印刷モードが選択されると、画像形成部２において片面にトナー像が形成された用紙は定着部１４に搬送されてトナー像が定着された後、分岐部１５において用紙搬送路１７へ振り分けられ、両面ユニット１８に搬送される。搬送された用紙はフィードローラ１９により反転トレイ２０上に一旦保持される。このとき、画像面は下向きになっている。フィードローラ１９及び反転トレイ２０は用紙の画像面の向きを反転させる反転手段を構成する。
【０００８】
次いでフィードローラ１９を逆回転させることにより、反転トレイ２０上の用紙を両面ユニット１８の下部に搬送する。そして、駆動ローラ２１、搬送ローラ２２ａ、２２ｂ、２２ｃ及び従動ローラ２３ａ、２３ｂ、２３ｃから構成される再搬送手段を画像面が上向きの状態で通過し、レジストローラ１２から画像面を下向きにして画像形成部２に再搬送される。画像形成部２において画像の形成されていない上面に新たなトナー像を形成し、定着部１４に搬送されてトナー像が定着された後、分岐部１５において排出ローラ１６へ振り分けられ、装置外部へ排出される。
【０００９】
２４は両面ユニット１８の下部に設けられたガイド板であり、用紙の搬送方向下流側の回動軸２５を中心として上流側の端部が開閉可能に構成されている。ガイド板２４には従動ローラ２３ａが配置されており、ガイド板２４を開放して従動ローラ２３ａを搬送ローラ２２ａと分離することにより、両面ユニット１８内で紙詰まりや搬送不良等のジャムが発生した場合にジャム処理を容易に行うことができる。また、両面ユニット１８は画像形成装置本体に対して出し入れ可能に構成されている。
【００１０】
このような画像形成装置においては、通常、ガイド板はネジ部材により両面ユニット本体に固定されており、両面ユニット内でジャムが発生した場合、ユーザは手作業によりネジ部材を弛めてガイド板を開放し、ジャム処理が終了した後に再度ネジ部材を締結してガイド板を閉じていた。しかしながら、ネジ部材によるガイド板の固定では、ジャム発生時にガイド板を迅速に開放することができず、処理終了後も再度ネジ部材を手作業で締結する必要があるため操作が繁雑となる。また、ネジ部材の紛失のおそれもあり、ネジ部材の締結が十分でない場合には画像形成装置内部でガイド板が外れる可能性もあり、二次的な障害が発生するおそれもあった。さらに、ネジ部材は通常、金属製のネジ部を樹脂製の取手部に圧入して構成されているため、廃棄する際に金属部分と樹脂部分とを分別する必要があり、環境対応にも問題があった。
【特許文献１】特開２００１−８８９４６号公報
【発明の開示】
【発明が解決しようとする課題】
【００１１】
本発明は、上記問題点に鑑み、両面ユニット内でのジャム処理操作を容易に行えるとともに、二次的な障害の発生も防止でき、さらに環境対応にも適した両面ユニット及びそれを備えた画像形成装置を提供することを目的とする。
【課題を解決するための手段】
【００１２】
上記目的を達成するために本発明は、片面に画像が形成された用紙を反転させる反転手段と、該反転手段により反転された用紙を画像形成部に再搬送する再搬送手段と、該再搬送手段の下方に位置し一端を回動軸として開閉可能なガイド板と、を備え、画像形成装置本体から引き出し前記ガイド板を開放してジャム処理を行う画像形成装置の両面ユニットにおいて、前記ガイド板は、前記ガイド板と両面ユニット本体との間に連結された第１の弾性部材により閉方向に付勢されており、前記ガイド板の回動側端部には、両面ユニット本体側に設けられた係止用突起に係合するフック部を１つ以上備えたロック部材が付設されていることを特徴としている。
【００１３】
また本発明は、上記構成の画像形成装置の両面ユニットにおいて、前記ロック部材は、前記ガイド板に対して前記フック部の開口方向と平行に摺動可能に支持されており、前記ロック部材を前記フック部の開口方向に付勢する第２の弾性部材が付設されていることを特徴としている。
【００１４】
また本発明は、上記構成の画像形成装置の両面ユニットにおいて、前記フック部は、前記ガイド板を開放状態から閉方向に回動させたとき前記係止用突起に当接する部分が前記フック部の開口方向に下向きに傾斜していることを特徴としている。
【００１５】
また本発明は、上記構成の両面ユニットが搭載された画像形成装置において、前記ガイド板の回動側下面又は前記ロック部材の下面に対向する両面ユニットの収納部分に、装置の手前側から奥側に向けて上り勾配を有する凸部が設けられており、両面ユニットの画像形成装置本体への挿入に伴い、前記ガイド板又は前記ロック部材が前記凸部に乗り上げて前記フック部が前記係止用突起に係合する位置に押し上げられることを特徴としている。
【発明の効果】
【００１６】
本発明の第１の構成によれば、ガイド板が第１の弾性部材により両面ユニット本体に対し閉方向に付勢されているため、ジャム処理が終了しガイド板から手を離すとガイド板は自動的に閉位置まで回動し、ガイド板を開放したまま両面ユニットを画像形成装置内に挿入してガイド板を破損するおそれがなくなる。また、ガイド板の回動側端部にロック部材を設けたことにより、金属と樹脂との圧入部材であるネジ部材が不要となるためガイド板の固定操作が容易となり、ネジの締め忘れや紛失のおそれもない。さらに、環境対応にも適した両面ユニットとすることができる。
【００１７】
また、本発明の第２の構成によれば、上記第１の構成の両面ユニットにおいて、ロック部材がガイド板に対してフック部の開口方向と平行に摺動可能に支持されており、第２の弾性部材によりガイド板に対してフック部の開口方向に付勢されることにより、ロック部材を所定方向に摺動させるだけで、容易に両面ユニット本体に係合することができる。
【００１８】
また、本発明の第３の構成によれば、上記第２の構成の両面ユニットにおいて、フック部の係止用突起に当接する部分が、フック部の開口方向に下向きに傾斜していることにより、ガイド板に対して上方向に押圧力を加えるだけで、ロック部材は係止用突起に傾斜部分を押されて第２の弾性部材の付勢力に抗して摺動し、係止用突起がフック部の開口部に到達したとき、フック部は第２の弾性部材の付勢力により係止用突起に係合する。
【００１９】
また、本発明の第４の構成によれば、上記第３の構成の両面ユニットが搭載された画像形成装置において、ガイド板の回動側下面又はロック部材の下面に対向する両面ユニットの収納部分に、装置の手前側から奥側に向けて上り勾配を有する凸部が設けられており、両面ユニットの画像形成装置本体への挿入に伴いガイド板又はロック部材が凸部に乗り上げてガイド板が押し上げられることにより、両面ユニットを画像形成装置内へ挿入するだけで自動的にガイド板をロックすることができる。
【発明を実施するための最良の形態】
【００２０】
以下に本発明の実施形態を図面を参照して説明する。図１は、本発明の第１実施形態に係る両面ユニットの構成を示す正面断面図である。従来例の図８と共通する部分には同一の符号を付して説明を省略する。図１において、２６はガイド板２４を両面ユニット１８本体方向に付勢する引っ張りバネであり、引っ張りバネ２６の一端はガイド板２４の上流側に、他端は両面ユニット１８本体側に連結されている。両面ユニット１８内で紙詰まりや搬送不良等のジャムが発生した場合、ユーザは両面ユニット１８を画像形成装置から外部に引き出し、引っ張りバネ２６の付勢力に抗してガイド板２４を手で開放状態に保持しながらジャム処理を行う。そしてジャム処理が終了すると、両面ユニット１８を再び画像形成装置内へ挿入する。
【００２１】
このとき、開放状態に保持していた手を離すことにより、ガイド板２４は自動的に閉状態に戻るため、ガイド板２４を開放した状態で両面ユニット１８を画像形成装置内へ挿入するおそれがなくなり、ガイド板２４の閉め忘れによる破損を確実に防ぐことができる。なお、引っ張りバネ２６を用いる代わりに、ガイド板２４の回動軸２５にねじりコイルバネを設けてガイド板２４を閉方向に付勢する構成としてもよい。また、ガイド板２４の上流側端部２４ａには、両面ユニット１８本体側に設けられた係止用突起（図示せず）に係合するロック部材２７が付設されている。
【００２２】
図２は、ガイド板の上流側端部の拡大斜視図であり、上流側端部２４ａに取り付けられたロック部材２７を裏面から見た状態を示している。ロック部材２７は、両面ユニット１８本体側に設けられた係止用突起２８ａ、２８ｂに係合する同一方向（図の矢印Ａ方向）に開口したフック部２９ａ、２９ｂを有しており、ガイド板２４に対しフック部２９ａ、２９ｂの開口方向と平行（図の矢印ＡＡ′方向）に摺動可能に支持されている。
【００２３】
ロック部材２７の前側（図の左側）には圧縮バネ３０が設けられており、フック部２９ａ、２９ｂが係止用突起２８ａ、２８ｂに係合した後に容易に外れないようにロック部材２７をフック部２９ａ、２９ｂの開口方向（図の矢印Ａ方向）に付勢する。これにより、ロック部材２７の構造を複雑にすることなく、ロック部材２７の摺動を簡便に制限することができる。なお、圧縮バネに代えて引っ張りバネやトーションバネ、板バネ等を用いてもよい。３１はロック部材２７を摺動させるための取手部であり、ガイド板２４を開放する際にロック部材２７を矢印Ａ′方向に摺動させてフック部２９ａ、２９ｂと係止用突起２８ａ、２８ｂとの係合を解除する。
【００２４】
次に、ロック部材２７によりガイド板２４が両面ユニット１８本体に固定される機構を、図３を用いて説明する。なお、ここではフック部２９ａと係止用突起２８ａとの関係についてのみ説明するが、フック部２９ｂと係止用突起２８ｂとの関係についても全く同様に説明される。まず、ジャム処理終了後、ガイド板２４から手を離して開放状態を解除すると、図３（ａ）に示すように、ガイド板２４は引っ張りバネ２６（図１参照）の付勢力により、フック部２９ａの上面が係止用突起２８ａに当接する位置まで戻される。
【００２５】
ここで、フック部２９ａの係止用突起２８ａに当接する部分には、フック部２９ａの開口部２９ｃに向かって下方向に傾斜する傾斜部２９ｄが形成されている。そのため、図３（ａ）の状態から更にガイド板２４に上向きに押圧力Ｐを加えると、図３（ｂ）のように傾斜部２９ｄは反作用により係止用突起２８ａから下向きの抗力Ｐ′を受ける。このとき、傾斜部２９ｄの傾きにより、抗力Ｐ′は下向きの力Ｐ′１と水平方向の力Ｐ′２とに分解される。ロック部材２７はガイド板２４に対し水平方向に摺動可能に支持されているため、水平方向の力Ｐ′２により圧縮バネ３０（図２参照）の付勢力に抗して矢印Ａ′方向に摺動する。
【００２６】
そして、係止用突起２８ａが傾斜部２９ｄから離脱するまでロック部材２７が摺動すると、水平方向の力Ｐ′２の作用がなくなるため、図３（ｃ）のように圧縮バネ３０の付勢力によりロック部材２７は矢印Ａ方向に摺動し、係止用突起２８ａはフック部２９ａの開口部２９ｃに係合する。この構成とすることにより、ガイド板２４に上向きに力を加えるだけでロック部材２７の係合が可能となるため、ユーザはジャム処理後、ネジ部材の締め付け等の作業を行うことなく、簡単な操作でガイド板２４を両面ユニット１８本体に確実に固定することができる。
【００２７】
なお、本実施形態においては、フック部２９ａ、２９ｂの開口部２９ｃを両面ユニット１８の奥側（図２の矢印Ａ方向）に開口する構成としたが、両面ユニット１８の前側（図２の矢印Ａ′方向）に開口する構成としてもよい。その場合、圧縮バネ３０による付勢方向も開口部２９ｃの開口方向と同じ矢印Ａ′方向となる。また、ここではロック部材２７は２つのフック部２９ａ、２９ｂを有することとしたが、フック部及びそれに対応する係止用突起の数や形状は、本発明の目的を逸脱しない範囲で適宜設定可能である。
【００２８】
図４は、本発明の第２実施形態に係る両面ユニットに用いられるガイド板の上流側端部の拡大断面図である。図２及び図３と共通する部分には同一の符号を付して説明を省略する。本実施形態においては、両面ユニット１８の係止用突起２８ａに対向してフック部２９ａの開口部２９ｃが形成されており、ロック部材２７はガイド板２４の側面方向（図の矢印ＢＢ′方向）に摺動可能となっている。圧縮バネ３０は、フック部２９ａが係止用突起２８ａに係合した後に容易に外れないようにロック部材２７を係止用突起２８ａ方向（図の矢印Ｂ方向）に付勢している。
【００２９】
また、フック部２９ａの上面は開口部２９ｃに向かって下方向に傾斜する傾斜部２９ｄとなっているため、図３で説明した第１実施形態と同様に、ガイド板２４に上向きに力を加えるだけでロック部材の係合が可能となり、簡単な操作でガイド板２４を両面ユニット１８本体に確実に固定することができる。なお、本実施形態においても、第１実施形態と同様にフック部及びそれに対応する係止用突起の数や形状は適宜設定される。
【００３０】
次に、図５を用いて本発明の両面ユニットを画像形成装置内に収納する方法を説明する。図５（ａ）はジャム処理後の両面ユニットの正面図であり、図５（ｂ）は両面ユニットを図５（ａ）の矢印Ａ方向から見た側面図である。図５（ｃ）は両面ユニットを画像形成装置内に挿入する状態を示す側面断面図である。従来例の図７と共通する部分には同一の符号を付して説明を省略する。両面ユニット１８を画像形成装置１から引き出してジャム処理を行った後、ガイド板２４は引っ張りバネ２６の付勢力により閉状態となるが、引っ張りバネ２６の付勢力はロック部材２７のフック部２９ａ、２９ｂ（図２参照）を係止用突起２８ａ、２８ｂ（図２参照）に係合するほど強くないため（図３（ａ）参照）、図５（ａ）、（ｂ）のように上流側端部２４ａが下方に突出した状態となっている。
【００３１】
そこで、図５（ｃ）に示すように、両面ユニット収容部１ａ内の、画像形成装置１に両面ユニット１８を挿入する際に上流側端部２４ａに対向する部分に、画像形成装置１の手前側（図の右側）から奥側に向けて上り勾配３２ａを有する凸部３２を設けておく。凸部３２の高さは、両面ユニット１８が挿入されたとき、ロック部材２７のフック部２９ａ、２９ｂが係止用突起２８ａ、２８ｂに係合するように調整する。図５（ａ）の状態の両面ユニット１８を両面ユニット収容部１ａに挿入すると、上流側端部２４ａの下部が上り勾配３２ａに沿って凸部３２に乗り上げ、上流側端部２４ａには上向きの力が加えられるため、フック部２９ａ、２９ｂは係止用突起２８ａ、２８ｂに係合する（図３（ｂ）、（ｃ）参照）。なお、凸部３２はロック部材２７の下面に対向する部分に設けてもよい。
【００３２】
これにより、フック部２９ａ、２９ｂの係止用突起２８ａ、２８ｂへの係合が不完全な状態で両面ユニット１８が両面ユニット収容部１ａ内へ挿入された場合でも、自動的にフック部２９ａ、２９ｂを係止用突起２８ａ、２８ｂに係合し、ガイド板２４を所定の位置に固定することができるため、ガイド板２４の固定が不完全な状態で用紙の搬送が行われることによる紙詰まりや搬送不良等の発生を確実に防止できる。なお、図６に示すように、ロック部材２７の下面中央部に押上用突起３３を設け、両面ユニット１８の両面ユニット収容部１ａ内への挿入（矢印Ａ方向）に伴い押上用突起３３が上り勾配３２ａに沿って凸部３２に乗り上げる構成とすることにより、上向きの力Ｆを上流側端部２４ａの幅方向全体に均等に加えることができるためより好ましい。なお、押上用突起３３はガイド板２４の上流側端部２４ａの下面に設けてもよい。
【００３３】
上記各実施形態においては、ガイド板２４は搬送方向下流側を回動中心として上流側の端部が開閉可能な構成としたが、例えば装置の前側（図１の紙面手前側）の端部が開閉する構成とすることもできる。また、ここでは両面ユニットが搭載される両面印刷方式の画像形成装置としてデジタル複合機についてのみ示したが、本発明はアナログ方式の複写機やタンデム方式のカラー画像形成装置、ファクシミリ、レーザプリンタ等、他のタイプの画像形成装置にも適用できるのはもちろんである。
【産業上の利用可能性】
【００３４】
本発明は、片面に画像が形成された用紙を反転させる反転手段と、該反転手段により反転された用紙を画像形成部に再搬送する再搬送手段と、該再搬送手段の下方に位置し一端を回動軸として開閉可能なガイド板と、を備え、画像形成装置本体から引き出しガイド板を開放してジャム処理を行う画像形成装置の両面ユニットにおいて、ガイド板は、ガイド板と両面ユニット本体との間に連結された第１の弾性部材により閉方向に付勢されており、ガイド板の回動側端部には、両面ユニット本体側に設けられた係止用突起に係合するフック部を１つ以上備えたロック部材が付設されていることとする。
【００３５】
これにより、ネジ部材を用いて固定する従来法に比べてネジの締め忘れや紛失のおそれもなく、ガイド板の固定操作が容易となる。さらに、廃棄の際に分離が必要となる樹脂に金属のネジ部が圧入されたネジ部材が不要となるため、環境に対する負荷も少なくなる。また、ガイド板が第１の弾性部材により両面ユニット本体に対し閉方向に付勢されており、ジャム処理終了後、ガイド板は自動的に閉位置まで戻るため、ガイド板を開放した状態で両面ユニットを画像形成装置内に戻すことによるガイド板の破損を防止する。
【００３６】
また、ロック部材がガイド板に対してフック部の開口方向と平行に摺動可能に支持されているので、係止用突起へのフック部の係合及び解除を、ロック部材を所定方向に摺動させるだけで円滑に行うことができる。さらに、ロック部材が第２の弾性部材によりガイド板に対してフック部の開口方向に付勢されていることにより、フック部が係止用突起に係合した後に容易に外れるおそれがない。
【００３７】
また、第１の弾性部材によりガイド板が開放状態から閉状態に戻ったときに係止用突起に当接するフック部の上面部分を、フック部の開口方向に下向きに傾斜させたことにより、ガイド板を上方向に押し上げるだけでロック部材を第２の弾性部材の付勢力に抗して摺動させ、フック部を係止用突起に係合することができるため、ガイド板を固定する操作が一層容易なものとなる。
【００３８】
また、両面ユニットが搭載される画像形成装置の両面ユニットの収納部に、ガイド板の上流側下面又はロック部材の下面に対向する位置に装置の手前側から奥側に向けて上り勾配を有する凸部を設け、両面ユニットの収納部への挿入に伴いガイド板又はロック部材が凸部に乗り上げてガイド板が押し上げられる構成とすることにより、両面ユニットを収納部より引き出してジャム処理を行った後、両面ユニットを収納部へ挿入するだけで自動的にガイド板をロック可能な操作性の優れた画像形成装置とすることができる。
【図面の簡単な説明】
【００３９】
【図１】は、本発明の第１実施形態に係る両面ユニットの構成を示す正面断面図である。
【図２】は、第１実施形態の両面ユニットに用いられるガイド板の上流側端部の拡大斜視図である。
【図３】は、ロック部材のフック部と係止用突起との係合する機構を示す図である。
【図４】は、本発明の第２実施形態に係る両面ユニットに用いられるガイド板の上流側端部の拡大断面図である。
【図５】は、ジャム処理後の両面ユニットの正面図及び側面図（図５（ａ）、（ｂ））、及び両面ユニットを画像形成装置内に挿入する状態を示す側面断面図（図５（ｃ））である。
【図６】は、両面ユニットの収納部への挿入に伴うロック部材の自動係合機構の一例を示す概略図である。
【図７】は、両面ユニットが搭載された従来の画像形成装置の全体構成を示す概略図である。
【図８】は、図７における両面ユニット周辺の概略拡大図である。
【符号の説明】
【００４０】
１      画像形成装置
１ａ    両面ユニット収容部
２      画像形成部
３      帯電ユニット
４      感光体ドラム
５      画像読取部
７      現像ユニット
８      露光ユニット
１４    定着部
１８    両面ユニット
１９    フィードローラ
２０    反転トレイ
２２ａ、２２ｂ、２２ｃ    搬送ローラ
２３ａ、２３ｂ、２３ｃ    従動ローラ
２４    ガイド板
２４ａ  上流側端部
２６    引っ張りバネ（第１の弾性部材）
２７    ロック部材
２８ａ、２８ｂ    係止用突起
２９ａ、２９ｂ    フック部
３０    圧縮バネ（第２の弾性部材）
３２    凸部
【図１】
2005315920.tif 000003
【図２】
2005315920.tif 000004
【図３】
2005315920.tif 000005
【図４】
2005315920.tif 000006
【図５】
2005315920.tif 000007
【図６】
2005315920.tif 000008
【図７】
2005315920.tif 000009
【図８】
2005315920.tif 000010